(57)【特許請求の範囲】
【請求項１】
送信手段から送信された告知放送信号を伝送線路を介して受信し、当該受信した告知放送信号に基づく告知放送を放送する告知放送用受信機であって、前記告知放送が緊急放送である場合に、当該緊急放送を最大音量で放送する告知放送用受信機において、
告知放送信号を受信する受信手段と、
前記受信手段にて受信された告知放送信号に基づいて告知放送を音により出力する音出力手段と、
前記音出力手段による音出力の音量に関する操作入力を受け付ける第１の受付手段と、
前記告知放送信号に基づく告知放送が緊急放送である場合に、前記音出力手段から前記緊急放送が最大音量で音出力されているときに、前記第１の受付手段を操作不能な状態から操作可能な状態に変更することを受け付ける第２の受付手段と、
前記音出力手段から前記緊急放送が最大音量で音出力されている場合であって、前記第２の受付手段にて前記第１の受付手段が操作可能な状態に変更された場合に、当該第１の受付手段にて操作入力が受け付けられた場合には、当該操作入力に基づいて当該音出力手段による音出力の音量を制御する音出力制御手段と、を備え、
前記音出力制御手段は、
当該音出力制御手段にて前記音出力手段による音出力の音量が制御された場合であって、前記音出力手段から出力される前記緊急放送が終了した場合に、当該音出力制御手段にて制御された当該音出力手段による音出力の音量を、当該音出力制御手段にて制御される前の音出力の音量に復帰させる、
告知放送用受信機。
【請求項２】
送信手段から送信された告知放送信号を伝送線路を介して受信し、当該受信した告知放送信号に基づく告知放送を放送する告知放送用受信機であって、前記告知放送が緊急放送である場合に、当該緊急放送を最大音量で放送する告知放送用受信機において、
告知放送信号を受信する受信手段と、
前記受信手段にて受信された告知放送信号に基づいて告知放送を音により出力する音出力手段と、
前記音出力手段による音出力の音量に関する操作入力を受け付ける第１の受付手段と、
前記告知放送信号に基づく告知放送が緊急放送である場合に、前記音出力手段から前記緊急放送が最大音量で音出力されているときに、前記第１の受付手段を操作不能な状態から操作可能な状態に変更することを受け付ける第２の受付手段と、
前記音出力手段から前記緊急放送が最大音量で音出力されている場合であって、前記第２の受付手段にて前記第１の受付手段が操作可能な状態に変更された場合に、当該第１の受付手段にて操作入力が受け付けられた場合には、当該操作入力に基づいて当該音出力手段による音出力の音量を制御する音出力制御手段と、
前記音出力制御手段にて前記音出力手段による音出力の音量が制御された場合であって、前記音出力手段から出力される前記緊急放送が終了した場合に、当該音出力制御手段によって当該音出力手段による音出力の音量が調整された旨を表示する表示手段と、
を備えた告知放送用受信機。
【請求項３】
前記第１の受付手段は、前記第２の受付手段を兼ねる、
請求項１又は２に記載の告知放送用受信機。
【請求項４】
前記音出力制御手段は、前記音出力手段の音量を調整する、
請求項１から３のいずれか一項に記載の告知放送用受信機。
【請求項５】
前記音出力制御手段は、前記音出力手段の音出力をミュートする、
請求項１から４のいずれか一項に記載の告知放送用受信機。
【発明の詳細な説明】
【技術分野】
【０００１】
本発明は、告知放送を受信する告知放送用受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて出力する（例えば、特許文献１参照）。特に緊急放送を行う際には、この受信機は、当該緊急放送をユーザに確実に報知するために、スピーカにて最大音量で出力する。
【先行技術文献】
【特許文献】
【０００３】
【特許文献１】特開平９−８７５３号公報（段落０００２、００２０、００２１）
【発明の概要】
【発明が解決しようとする課題】
【０００４】
ここで、上述の如き従来の告知放送システムにおける受信機が、センター装置から告知放送信号を受信した場合、当該受信機は、当該告知放送信号に基づく告知放送の放送内容を問わずに出力する。そのため、センター装置から受信した告知放送信号に基づく告知放送が緊急放送である場合であって、この緊急放送がユーザの住んでいる地域から離れた地域で発生した災害に関する緊急放送である場合でも、当該受信機は、当該緊急放送をスピーカにて最大音量で出力することから、当該緊急放送がユーザにとっては必ずしも好ましくない場合があり、利便性の面から改善の余地があった。
【０００５】
本発明は、上記に鑑みてなされたものであって、緊急放送の視聴に関するユーザの利便性を改善することができる、告知放送用受信機を提供することを目的とする。
【課題を解決するための手段】
【０００６】
上述した課題を解決し、目的を達成するために、請求項１に記載の告知放送用受信機は、送信手段から送信された告知放送信号を伝送線路を介して受信し、当該受信した告知放送信号に基づく告知放送を放送する告知放送用受信機であって、前記告知放送が緊急放送である場合に、当該緊急放送を最大音量で放送する告知放送用受信機において、告知放送信号を受信する受信手段と、前記受信手段にて受信された告知放送信号に基づいて告知放送を音により出力する音出力手段と、前記音出力手段による音出力の音量に関する操作入力を受け付ける第１の受付手段と、前記告知放送信号に基づく告知放送が緊急放送である場合に、前記音出力手段から前記緊急放送が最大音量で音出力されているときに、前記第１の受付手段を操作不能な状態から操作可能な状態に変更することを受け付ける第２の受付手段と、前記音出力手段から前記緊急放送が最大音量で音出力されている場合であって、前記第２の受付手段にて前記第１の受付手段が操作可能な状態に変更された場合に、当該第１の受付手段にて操作入力が受け付けられた場合には、当該操作入力に基づいて当該音出力手段による音出力の音量を制御する音出力制御手段と、を備え、前記音出力制御手段は、当該音出力制御手段にて前記音出力手段による音出力の音量が制御された場合であって、前記音出力手段から出力される前記緊急放送が終了した場合に、当該音出力制御手段にて制御された当該音出力手段による音出力の音量を、当該音出力制御手段にて制御される前の音出力の音量に復帰させる。
【０００８】
また、請求項２に記載の告知放送用受信機は、送信手段から送信された告知放送信号を伝送線路を介して受信し、当該受信した告知放送信号に基づく告知放送を放送する告知放送用受信機であって、前記告知放送が緊急放送である場合に、当該緊急放送を最大音量で放送する告知放送用受信機において、告知放送信号を受信する受信手段と、前記受信手段にて受信された告知放送信号に基づいて告知放送を音により出力する音出力手段と、前記音出力手段による音出力の音量に関する操作入力を受け付ける第１の受付手段と、前記告知放送信号に基づく告知放送が緊急放送である場合に、前記音出力手段から前記緊急放送が最大音量で音出力されているときに、前記第１の受付手段を操作不能な状態から操作可能な状態に変更することを受け付ける第２の受付手段と、前記音出力手段から前記緊急放送が最大音量で音出力されている場合であって、前記第２の受付手段にて前記第１の受付手段が操作可能な状態に変更された場合に、当該第１の受付手段にて操作入力が受け付けられた場合には、当該操作入力に基づいて当該音出力手段による音出力の音量を制御する音出力制御手段と、前記音出力制御手段にて前記音出力手段による音出力の音量が制御された場合であって、前記音出力手段から出力される前記緊急放送が終了した場合に、当該音出力制御手段によって当該音出力手段による音出力の音量が調整された旨を表示する表示手段と、を備える。
【０００９】
また、請求項３に記載の告知放送用受信機は、請求項１又は２に記載の告知放送用受信機において、前記第１の受付手段は、前記第２の受付手段を兼ねる。
【００１０】
また、請求項４に記載の告知放送用受信機は、請求項１から３のいずれか一項に記載の告知放送用受信機において、前記音出力制御手段は、前記音出力手段の音量を調整する。
【００１１】
また、請求項５に記載の告知放送用受信機は、請求項１から４のいずれか一項に記載の告知放送用受信機において、前記音出力制御手段は、前記音出力手段の音出力をミュートする。
【発明の効果】
【００１２】
請求項１に記載の告知放送用受信機によれば、音出力制御手段は、音出力手段から緊急放送が最大音量で音出力されている場合であって、第２の受付手段にて第１の受付手段が操作可能な状態に変更された場合に、当該第１の受付手段にて操作入力が受け付けられた場合には、当該操作入力に基づいて当該音出力手段による音出力の音量を制御するので、緊急放送時にユーザが第１の受付手段を操作することにより音出力手段の音出力の音量を制御することができ、緊急放送の視聴に関するユーザの利便性を改善することができる。
また、音出力制御手段は、当該音出力制御手段にて音出力手段による音出力の音量が制御された場合であって、音出力手段から出力される緊急放送が終了した場合に、当該音出力制御手段にて制御された当該音出力手段による音出力の音量を、当該音出力制御手段にて制御される前の音出力の音量に復帰させるので、所定の操作を要さずとも音出力制御手段にて制御された音出力手段の音出力の音量からの復帰ができ、ユーザが緊急放送終了以降の一般放送を聞き漏らすことを防止できる。
【００１４】
また、請求項２に記載の告知放送用受信機によれば、表示手段は、音出力制御手段にて音出力手段による音出力の音量が制御された場合であって、音出力手段から出力される緊急放送が終了した場合に、当該音出力制御手段によって当該音出力手段による音出力の音量が変更された旨を表示するので、ユーザに対して音出力手段の音出力の音量が調整されたことを報知でき、ユーザが緊急放送終了以降の一般放送を聞き漏らすことを防止できる。
【００１５】
また、請求項３に記載の告知放送用受信機によれば、第１の受付手段は、第２の受付手段を兼ねるので、第１の受付手段及び第２の受付手段を１つに集約することができ、ユーザが行う操作入力を簡易にすることができる。
【００１６】
また、請求項４に記載の告知放送用受信機によれば、音出力制御手段は、音出力手段の音量を調整するので、緊急放送の視聴に関するユーザの利便性を一層改善することができる。
【００１７】
また、請求項５に記載の告知放送用受信機によれば、音出力制御手段は、音出力手段の音出力をミュートするので、第１の受付手段の設定値を変更せずに、音出力手段の音出力を消音することができ、緊急放送の視聴に関するユーザの利便性を一層改善することができる。
【図面の簡単な説明】
【００１８】
【図１】実施の形態１に係る告知放送システムの構成を示すブロック図である。
【図２】実施の形態１に係る告知放送用受信機が設置壁に固定された状態を示す斜視図である。
【図３】実施の形態１に係る告知放送用受信機を示す図であり、（ａ）は正面図、（ｂ）は底面図である。
【図４】実施の形態１に係る告知放送用受信機が実行する告知放送処理のフローチャートである。
【図５】実施の形態１に係る告知放送用受信機が実行する緊急放送処理のフローチャートである。
【図６】実施の形態２に係る告知放送用受信機が実行する緊急放送処理のフローチャートである。
【発明を実施するための形態】
【００１９】
以下に添付図面を参照して、この発明に係る告知放送用受信機の各実施の形態を詳細に説明する。最初に、この告知放送用受信機を備えて構成された告知放送システムの全体構成を説明し、次に、告知放送用受信機の構成を説明し、告知放送用受信機が実行する告知放送処理及び緊急放送処理について説明し、最後に本実施の形態に対する変形例について説明する。ただし、この実施の形態によって本発明が限定されるものではない。なお、各実施の形態に係る告知放送用受信機の設置対象や適用対象は任意であるが、以下では、住戸の屋内に設置された告知放送用受信機に適用した場合を例として説明を行う。
【００２０】
〔実施の形態１〕
まず、実施の形態１について説明する。この形態は、緊急放送時に音出力手段の音量を調整できる形態である。
【００２１】
（構成）
最初に、実施の形態１に係る告知放送システムの構成を説明する。図１は実施の形態１に係る告知放送システムの構成を示すブロック図である。図１に示すように、告知放送システム１は、センター側に配置されたセンター装置２、各住戸に配置された告知放送用受信機３、及びセンター装置２から送信された信号を告知放送用受信機３に送信する伝送系統９を備えて構成されている。このうち、センター装置２は告知放送信号を送信手段であり、公知のセンター装置と同様に構成することができる。また、伝送系統９は、ヘッドエンド９０、このヘッドエンド９０から各住戸の告知放送用受信機３に至る伝送線路９１、さらに、この伝送線路９１に配置された、アンプ９２、分配増幅器９３、分配器９４、及び保安器９５を備えて構成されている。ヘッドエンド９０は、センター装置２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）を備えて構成される。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って受信機に至るサージ成分を制御する。なお、特記する構成を除き、センター装置２、告知放送用受信機３、及び伝送系統９は、公知の装置又はシステムと同様に構成することができる。
【００２２】
（構成−告知放送用受信機）
次に、告知放送用受信機３の電気的構成について説明する。図１に示したように、告知放送用受信機３は、受信部３０、ボリュームスイッチ３４ａ、告知再生スイッチ３１、ラジオ再生スイッチ３２、音切換え部３３、音量調整部３４、アンプ３５、スピーカ３６、表示部３７、制御部３８、音情報格納部３９、及び記憶部４０を備えている。
【００２３】
受信部３０は、センター装置２から送信された告知放送信号を復調する告知放送復調手段であり、告知放送信号に含まれる音情報を音切換え部３３に出力すると共に、告知放送信号に含まれる制御情報（例えば告知放送が緊急放送又は一般放送の何れかを特定する情報等）を制御部３８に出力する。また、受信部３０は、後述するアンテナを介してラジオ放送信号を受信し、当該ラジオ放送信号に含まれる音情報を音切換え部３３に出力する。
【００２４】
ボリュームスイッチ３４ａは、スピーカ３６による音出力の音量を調整する操作入力を受け付ける第１の受付手段である。ここで、「音量を調整する」とは、ボリュームスイッチ３４ａの設定値を変更することにより、スピーカ３６の音量を調整することをいう。このボリュームスイッチ３４ａは、例えばアナログの回転式のボリュームスイッチとして構成される（ここでは、スピーカ３６の音量を段階的（例えば９段階等）に設定可能なボリュームスイッチ３４ａについて説明する）。
【００２５】
告知再生スイッチ３１は、音情報格納部３９に格納された音情報の出力に関する操作入力を受け付ける告知再生受付手段である。この告知再生スイッチ３１は、例えば押しボタン型のスイッチとして構成される。例えば、音情報格納部３９に格納された音情報の出力がされていない場合に告知再生スイッチ３１が押下されると、当該操作を音情報格納部３９に格納された音情報の出力指示として受け付ける。また、音情報格納部３９に格納された音情報の出力がされている場合に告知再生スイッチ３１が押下されると、当該操作を音情報格納部３９に格納された音情報の出力の停止指示として受け付ける。また、この告知再生スイッチ３１は、ボリュームスイッチ３４ａを操作不能な状態から操作可能な状態に変更することを受け付ける第２の受付手段でもある。この告知再生スイッチ３１の詳細については後述する。
【００２６】
ラジオ再生スイッチ３２は、ラジオ放送信号に含まれる音情報の出力に関する操作入力を受け付けるラジオ再生受付手段である。このラジオ再生スイッチ３２は、告知再生スイッチ３１と同様に、例えば押しボタン型のスイッチとして構成される。例えば、ラジオ放送信号に含まれる音情報の出力がされていない場合にラジオ再生スイッチ３２が押下されると、当該操作をラジオ放送信号に含まれる音情報の出力指示として受け付ける。また、ラジオ放送信号に含まれる音情報の出力がされている場合にラジオ再生スイッチ３２が１回押下されると、当該操作を、予め設定されているラジオ放送信号の受信チャンネルを一つずらす変更指示として受け付ける。また、ラジオ放送信号に含まれる音情報の出力がされている場合にラジオ再生スイッチ３２が所定時間以上押下されると、当該操作をラジオ放送信号に含まれる音情報の出力の停止指示として受け付ける。また、このラジオ再生スイッチ３２は、ボリュームスイッチ３４ａを操作不能な状態から操作可能な状態に変更することを受け付ける第２の受付手段でもある。このラジオ再生スイッチ３２の詳細については、後述する。
【００２７】
音切換え部３３は、受信部３０から出力された音情報を音量調整部３４又は音情報格納部３９に出力し、あるいは、音情報格納部３９から出力された音情報を音量調整部３４に出力する音切換え手段である。
【００２８】
音量調整部３４は、音切換え部３３から出力された音情報の音量を調整してアンプ３５に出力する。この音情報は、アンプ３５にて増幅された後、スピーカ３６から出力される。このスピーカ３６は、音情報を音により出力する音出力手段である。
【００２９】
表示部３７は、告知放送用受信機３に関する情報を表示するためのものであり、電源表示灯３７ａ、緊急放送表示灯３７ｂ、一般放送表示灯３７ｃ、状態表示部３７ｄ、告知再生表示灯３７ｅ、及びラジオ再生表示灯３７ｆを備えている。このうち、電源表示灯３７ａは告知放送用受信機３の電源ＯＮ時に点灯する。また、緊急放送表示灯３７ｂは緊急放送時に点灯又は点滅する。また、一般放送表示灯３７ｃは一般放送時に点灯又は点滅する。また、状態表示部３７ｄは、受信部３０にて受信された各種信号の受信状態、受信部３０にて受信されているラジオ放送信号の受信チャンネル、又は音情報格納部３９における音情報の格納状態を表示する表示手段であり、例えば公知の１桁の７セグメント表示及びドット表示を行う７セグメントＬＥＤを備えて構成される。また、告知再生表示灯３７ｅ及びラジオ再生表示灯３７ｆは、制御部３８の制御に基づき発光する発光手段であり、例えばＬＥＤ（Ｌｉｇｈｔ  Ｅｍｉｔｔｉｎｇ  Ｄｉｏｄｅ）を備えて構成される。
【００３０】
制御部３８は、告知放送用受信機３の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。この制御部３８は、機能概念的に、音出力制御部３８ａを備えて構成されている。音出力制御部３８ａは、ボリュームスイッチ３４ａの操作入力に基づいてスピーカ３６の音出力を制御する音出力制御手段である。なお、この制御部３８によって実行される処理の詳細については後述する。
【００３１】
音情報格納部３９は、受信部３０が受信した告知放送信号に含まれる音情報を格納する音情報格納手段である。この音情報格納手段に格納される音情報には、例えば当該音情報を含む告知放送信号を受信部３０が受信した日時を特定する受信日時情報や、音情報格納手段に格納された後に当該音情報が再生されたか否かを特定する再生情報が、例えばヘッダ情報として付加される。この音情報格納部３９は、書き換え可能な記録媒体を用いて構成され、例えば、フラッシュメモリ等の不揮発性記録媒体を備えて構成される。
【００３２】
記憶部４０は、当該告知放送用受信機３の各種制御に必要な情報や当該告知放送用受信機３にて実行された処理情報を記録する記録手段である。特に、記憶部４０は、操作受付済フラグ及び音量制御済フラグを記憶する。操作受付済フラグとは、ボリュームスイッチ３４ａ（後述する実施の形態２では告知再生スイッチ３１）が操作不能な状態であるのか否かを示すフラグであり、ここでは、操作受付済フラグ＝０の場合にはボリュームスイッチ３４ａが操作不能な状態であることを示し、操作受付済フラグ＝１の場合にはボリュームスイッチ３４ａが操作可能な状態であることを示す。また、音量制御済フラグとは、音出力制御部３８ａによってスピーカの音出力の音量が制御されたか否かを示すフラグであり、ここでは、音量制御済フラグ＝０の場合には音出力制御部３８ａによってスピーカの音出力の音量が制御されていない状態であることを示し、音量制御済フラグ＝１の場合には音出力制御部３８ａによってスピーカの音出力の音量が制御された状態であることを示す。なお、この記憶部４０の具体的構成は任意であるが、例えば、ＲＡＭ（Ｒａｎｄｏｍ  Ａｃｃｅｓｓ  Ｍｅｍｏｒｙ）やフラッシュメモリを用いることができる。
【００３３】
続いて、告知放送用受信機３の基本構成について説明する。図２は実施の形態１に係る告知放送用受信機３が設置壁Ｗに固定された状態を示す斜視図である。図３は、実施の形態１に係る告知放送用受信機３を示す図であり、（ａ）は正面図、（ｂ）は底面図である。これら図２及び図３（ａ）、（ｂ）に示すように、告知放送用受信機３は、筐体４１の内部に図示しない各種の電子部品等を収容して構成されている。この筐体４１は、正面カバー４１ａと背面カバー４１ｂとを組み合わされて構成されている。正面カバー４１ａと背面カバー４１ｂの接続方法は任意であるが、例えば、正面カバー４１ａと背面カバー４１ｂは嵌合やネジ留めにて接続することができる。
【００３４】
図３（ａ）に示すように、この筐体４１の正面には、上述した告知再生スイッチ３１、ラジオ再生スイッチ３２、ボリュームスイッチ３４ａ、及び表示部３７が設けられている。また、筐体４１の内部においては、告知再生スイッチ３１の近傍には告知再生表示灯３７ｅが設置され、ラジオ再生スイッチ３２の近傍にはラジオ再生表示灯３７ｆが設置されている。これら告知再生スイッチ３１やラジオ再生スイッチ３２を透光性の材料を用いて形成したり、告知再生スイッチ３１やラジオ再生スイッチ３２に光を透過させる透過孔を設けることにより、告知再生表示灯３７ｅやラジオ再生表示灯３７ｆから発せられた光を筐体４１の外部に透過させることができる。また、筐体４１の正面には、筐体４１の内部に設けたスピーカ３６から出力された音を、当該筐体４１の外部に放出するための音響孔４２が設けられている。また、図３（ａ）、（ｂ）に示すように、筐体４１の左側面には、ＦＭラジオ等の電波を受信するためのアンテナ５１が設けられている。
【００３５】
（告知放送処理）
次に、このように構成された告知放送用受信機３が実行する告知放送処理について説明する。図４は、実施の形態１に係る告知放送用受信機３が実行する告知放送処理のフローチャートである。なお、以下の説明では、「ステップ」を「Ｓ」と略記する。この告知放送処理の実行タイミングは任意で、例えば告知放送用受信機３の電源が投入された場合に実行される。
【００３６】
図４に示すように、まず、制御部３８は受信部３０が何らかの信号を受信しているか否かを監視する（ＳＡ１）。
【００３７】
ここで、受信部３０が何らかの信号を受信した場合（ＳＡ１、Ｙｅｓ）、制御部３８は、受信部３０が告知放送信号を受信したか否かを判定する（ＳＡ２）。
【００３８】
その結果、受信部３０が告知放送信号を受信していないと判定された場合（ＳＡ２、Ｎｏ）、制御部３８はＳＡ１に移行する。
【００３９】
一方、受信部３０が告知放送信号を受信したと判定された場合（ＳＡ２、Ｙｅｓ）、制御部３８は、当該告知放送信号に含まれる放送コマンドを解析することによって、当該告知放送信号が緊急放送であるか否かを判定する（ＳＡ３）。
【００４０】
その結果、告知放送信号が緊急放送であると判定された場合（ＳＡ３、Ｙｅｓ）、制御部３８は、緊急放送処理を実行する（ＳＡ４）。そして、ＳＡ４の処理後、制御部３８はＳＡ１に移行する。
【００４１】
一方、告知放送信号が緊急放送でないと判定された場合（ＳＡ３、Ｎｏ）、制御部３８は一般放送処理を実行する（ＳＡ５）。この一般放送処理については、例えば、制御部３８がボリュームスイッチ３４ａにて設定された音量で音出力するように音量制御部を制御し、当該制御された音量でスピーカ３６によって一般放送を音出力させる。そして、ＳＡ５の処理後、制御部はＳＡ１に移行する。
【００４２】
（告知放送処理−緊急放送処理）
次に、告知放送用受信機３が実行する緊急放送処理について説明する。図５は、実施の形態１に係る告知放送用受信機３が実行する緊急放送処理のフローチャートである。
【００４３】
図５に示すように、緊急放送処理が起動されると、制御部３８は、記憶部４０に記憶されている操作受付済フラグ及び音量調整済フラグを「０」に各々初期化する（ＳＢ１）。
【００４４】
また、制御部３８は、スピーカ３６から緊急放送が最大音量で音出力するように、音量調整部３４を制御する（ＳＢ２）。具体的には、制御部３８は、音切換え部３３から出力された音情報の音量を最大音量にしてアンプ３５に出力するように、音量調整部３４を制御する。そして、ＳＢ２の処理後、制御部３８は、ＳＢ２にて制御された音量でスピーカ３６によって緊急放送を音出力させる（ＳＢ３）。
【００４５】
次に、制御部３８は、告知再生スイッチ３１又はラジオ再生スイッチ３２がボリュームスイッチ３４ａを操作不能な状態から操作可能な状態に変更する操作入力を受け付けたか否かを監視する（ＳＢ４）。この告知再生スイッチ３１又はラジオ再生スイッチ３２の操作入力の受付は、例えば、制御部３８は、告知再生スイッチ３１又はラジオ再生スイッチ３２が単に押されることで、操作入力を受け付けてもよい。あるいは、誤操作防止の観点から、告知再生スイッチ３１又はラジオ再生スイッチ３２が長押しされたり、告知再生スイッチ３１及びラジオ再生スイッチ３２が同時に押されることで、操作入力を受け付けてもよい。
【００４６】
ここで、告知再生スイッチ３１又はラジオ再生スイッチ３２がボリュームスイッチ３４ａを操作不能な状態から操作可能な状態に変更する操作入力を受け付けた場合（ＳＢ４、Ｙｅｓ）、制御部３８は、操作受付済フラグを「１」として記憶部４０にセットする（ＳＢ５）。
【００４７】
ＳＢ５の処理が終了した場合、又は告知再生スイッチ３１又はラジオ再生スイッチ３２がボリュームスイッチ３４ａを操作不能な状態から操作可能な状態に変更する操作入力を受け付けなかった場合（ＳＢ４、Ｎｏ）、制御部３８は、ボリュームスイッチ３４ａがスピーカ３６の音量を調整する操作入力を受け付けたか否かを監視する（ＳＢ６）。
【００４８】
ここで、ボリュームスイッチ３４ａがスピーカ３６の音量を調整する操作入力を受け付けた場合（ＳＢ６、Ｙｅｓ）、制御部３８は、記憶部４０を参照して、操作受付済フラグが「１」であるか否かを判定する（ＳＢ７）。
【００４９】
その結果、操作受付済フラグが「１」であると判定された場合（ＳＢ７、Ｙｅｓ）、音出力制御部３８ａは、ＳＢ６の操作入力に基づいてスピーカ３６の音量を調整する（ＳＢ８）。具体的には、音出力制御部３８ａは、音切換え部３３から出力された音情報をボリュームスイッチ３４ａにて操作入力された音量でアンプ３５に出力するように音量調整部３４を制御する。これにより、スピーカ３６の音出力の音量を低減することができる。そして、ＳＢ８の処理後、制御部３８は、音量調整済フラグを「１」として記憶部４０にセットする（ＳＢ９）。
【００５０】
また、ＳＢ９の処理が終了した場合、ボリュームスイッチ３４ａがスピーカ３６の音量を調整する操作入力を受け付けた場合（ＳＢ６、Ｎｏ）、又は操作受付済フラグが「１」でないと判定された場合（ＳＢ７、Ｎｏ）、制御部３８は、告知放送信号に含まれる放送コマンドを解析することによって、緊急放送が終了した否かを監視する（ＳＢ１０）。ここで、緊急放送が終了していない場合（ＳＢ１０、Ｎｏ）、制御部３８はＳＢ４に移行し、以降、緊急放送が終了する迄、ＳＢ４−ＳＢ１０の処理を繰り返す。このＳＢ４−ＳＢ１０の処理においては、ＳＢ４にて操作入力が受け付けられたと判定されない限り、ＳＢ６にてボリュームスイッチ３４ａがスピーカ３６の音量を調整する操作入力を受け付けた場合であっても、緊急放送の出力音量は最大音量に維持される。
【００５１】
一方、緊急放送が終了した場合（ＳＢ１０、Ｙｅｓ）、制御部３８は、記憶部４０を参照して、音量制御済フラグが「１」であるか否かを判定する（ＳＢ１１）。
【００５２】
その結果、音量制御済フラグが「１」であると判定された場合（ＳＢ１１、Ｙｅｓ）、制御部３８は、スピーカ３６の音量が調整された旨を表示部３７によって表示させる（ＳＢ１２）。このスピーカ３６の音量が調整された旨の表示については、例えば、制御部３８は、緊急放送終了後に緊急放送表示灯３７ｂのみを所定時間点滅させたり、緊急放送表示灯３７ｂ、一般放送表示灯３７ｃ、告知再生表示灯３７ｅ、及びラジオ再生表示灯３７ｆ等も併せて所定時間点滅させてもよい。あるいは、スピーカ３６の音量が調整された旨を状態表示部３７ｄに記号等で表示させてもよい（例えば、制御部３８は状態表示部３７ｄに「Ｃ」を点滅表示させる）。これにより、ユーザに対してスピーカ３６の音出力の音量が調整された旨を報知できる。
【００５３】
また、ＳＢ１２の処理後、又は音量制御済フラグが「１」でないと判定された場合（ＳＢ１１、Ｎｏ）、制御部３８は緊急放送処理を終了し、告知放送処理に戻る。
【００５４】
（効果）
このように実施の形態１によれば、音出力制御部３８ａは、スピーカ３６から緊急放送が最大音量で音出力されている場合であって、告知再生スイッチ３１又はラジオ再生スイッチ３２にてボリュームスイッチ３４ａが操作可能な状態に変更された場合に、当該ボリュームスイッチ３４ａにて操作入力が受け付けられた場合には、当該操作入力に基づいて当該スピーカ３６による音出力の音量を制御するので、緊急放送時にユーザがボリュームスイッチ３４ａを操作することによりスピーカ３６の音出力の音量を制御することができ、緊急放送の視聴に関するユーザの利便性を改善することができる。
【００５５】
また、表示部３７は、音出力制御部３８ａにてスピーカ３６による音出力の音量が制御された場合であって、スピーカ３６から出力される緊急放送が終了した場合に、当該音出力制御部３８ａによって当該スピーカ３６による音出力の音量が調整された旨を表示するので、ユーザに対してスピーカ３６の音出力の音量が調整されたことを報知でき、ユーザが緊急放送終了以降の一般放送を聞き漏らすことを防止できる。
【００５６】
また、音出力制御部３８ａは、スピーカ３６の音量を調整するので、スピーカ３６の音出力の音量を低減することができ、緊急放送の視聴に関するユーザの利便性を一層改善することができる。
【００５７】
〔実施の形態２〕
次に、実施の形態２について説明する。この形態は、緊急放送時に音出力手段の音出力をミュートできる形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５８】
（構成−告知放送用受信機）
まず、告知放送用受信機３の電気的構成について説明する。図１に示したように、告知放送用受信機３は、受信部３０、ボリュームスイッチ３４ａ、告知再生スイッチ３１、ラジオ再生スイッチ３２、音切換え部３３、音量調整部３４、アンプ３５、スピーカ３６、表示部３７、制御部３８、音情報格納部３９、及び記憶部４０を備えている。
【００５９】
告知再生スイッチ３１は、スピーカ３６の音出力をミュートする操作入力を受け付ける第１の受付手段である。ここで、「音出力をミュートする」とは、ボリュームスイッチ３４ａの設定値を変更せずに、スピーカ３６の音出力を消音することをいう。また、ラジオ再生スイッチ３２は、告知再生スイッチ３１を操作不能な状態から操作可能な状態に変更することを受け付ける第２の受付手段である。
【００６０】
制御部３８は、機能概念的に、音出力制御部３８ａを備えて構成されている。音出力制御部３８ａは、告知再生スイッチ３１の操作入力に基づいてスピーカ３６の音出力を制御する音出力制御手段である。なお、この制御部３８によって実行される処理の詳細については後述する。
【００６１】
（告知放送処理−緊急放送処理）
次に、告知放送用受信機３が実行する緊急放送処理について説明する。図６は、実施の形態２に係る告知放送用受信機３が実行する緊急放送処理のフローチャートである。ただし、この緊急放送処理におけるＳＣ１−ＳＣ３、ＳＣ５、ＳＣ７、ＳＣ９−ＳＣ１１、は、図５に示した実施の形態１の緊急放送処理のＳＢ１−ＳＢ３、ＳＢ５、ＳＢ７、ＳＢ９−ＳＢ１１と同じであるため、その説明を省略する。
【００６２】
図６に示すように、ＳＣ３の処理後、制御部３８は、ラジオ再生スイッチ３２が告知再生スイッチ３１を操作不能な状態から操作可能な状態に変更する操作入力を受け付けたか否かを監視する（ＳＣ４）。
【００６３】
ここで、ラジオ再生スイッチ３２が告知再生スイッチ３１を操作不能な状態から操作可能な状態に変更する操作入力を受け付けた場合（ＳＣ４、Ｙｅｓ）、制御部３８はＳＣ５に移行する。
【００６４】
また、ＳＣ５の処理が終了した場合、又はラジオ再生スイッチ３２が告知再生スイッチ３１を操作不能な状態から操作可能な状態に変更する操作入力を受け付けなかった場合（ＳＣ４、Ｎｏ）、制御部３８は、告知再生スイッチ３１がスピーカ３６の音出力をミュートする操作入力を受け付けたか否かを監視する（ＳＣ６）。
【００６５】
ここで、告知再生スイッチ３１がスピーカ３６の音出力をミュートする操作入力を受け付けなかった場合（ＳＣ６、Ｎｏ）、制御部３８はＳＣ１０に移行する。一方、告知再生スイッチ３１がスピーカ３６の音出力をミュートする操作入力を受け付けた場合（ＳＣ６、Ｙｅｓ）、制御部３８はＳＣ７に移行する。
【００６６】
また、ＳＣ７の処理において、操作受付済フラグが「１」であると判定された場合（ＳＣ７、Ｙｅｓ）、音出力制御部３８ａは、スピーカ３６の音出力をミュートする（ＳＣ８）。具体的には、音出力制御部３８ａは、音切換え部３３から出力された音情報を音量ゼロでアンプ３５に出力するように、音量調整部３４を制御する。これにより、ボリュームスイッチ３４ａの設定値を変更せずに、スピーカ３６の音出力を消音することができる。
【００６７】
また、ＳＣ１１の処理において、音量制御済フラグが「１」であると判定された場合（ＳＣ１１、Ｙｅｓ）、音出力制御部３８ａは、ＳＣ８にてミュートされたスピーカ３６の音出力の音量を、ＳＣ８にてミュートされる前の音出力の音量に復帰させる（ＳＣ１２）。具体的には、音出力制御部３８ａは、ＳＣ８の処理にてミュートされたスピーカ３６の音出力の音量を、現時点でボリュームスイッチ３４ａにて設定されているスピーカ３６の音出力の音量に復帰させる。これにより、所定の操作を要さずとも音出力制御部３８ａにて制御されたスピーカ３６の音出力の音量からの復帰ができる。
【００６８】
（効果）
このように実施の形態２によれば、音出力制御部３８ａが、スピーカ３６から緊急放送が最大音量で音出力されている場合であって、ラジオ再生スイッチ３２にて告知再生スイッチ３１が操作可能な状態に変更された場合に、当該告知再生スイッチ３１にて操作入力が受け付けられた場合には、当該操作入力に基づいて当該スピーカ３６による音出力の音量を制御するので、緊急放送時にユーザが告知再生スイッチ３１を操作することによりスピーカ３６の音出力の音量を制御することができ、緊急放送の視聴に関するユーザの利便性を改善することができる。
【００６９】
また、音出力制御部３８ａは、当該音出力制御部３８ａにてスピーカ３６による音出力の音量が制御された場合であって、スピーカ３６から出力される緊急放送が終了した場合に、当該音出力制御部３８ａにて制御された当該スピーカ３６による音出力の音量を、当該音出力制御部３８ａにて制御される前の音出力の音量に復帰させるので、所定の操作を要さずとも音出力制御部３８ａにて制御されたスピーカ３６の音出力の音量からの復帰ができ、ユーザが緊急放送終了以降の一般放送を聞き漏らすことを防止できる。
【００７０】
また、音出力制御部３８ａは、スピーカ３６の音出力をミュートするので、ボリュームスイッチ３４ａの設定値を変更せずに、スピーカ３６の音出力を消音することができ、緊急放送の視聴に関するユーザの利便性を一層改善することができる。
【００７１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７３】
（分散や統合について）
上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【００７４】
（ボリュームスイッチについて）
上述した実施の形態では、ボリュームスイッチ３４ａはアナログの回転式のボリュームスイッチとして構成されると説明したが、例えば、デジタルのボリュームコントローラ（ここでは、押しボタン式のボリュームコントローラについて説明する）として構成されてもよい。ただし、デジタルのボリュームコントローラを用いた場合には、アナログの回転式のボリュームスイッチを用いた場合と異なり、音量調整操作が行われた場合であってもボリュームコントローラの操作状態を音出力制御部３８ａが識別できないため、実施の形態２のＳＣ１２における音量復帰ができない。この問題を解消するためには、デジタルのボリュームコントローラを用いて音量調整操作が行われた場合の履歴を記憶部４０に記録しておき、ＳＣ１２において当該履歴を参照して音量復帰を行ってもよい。
【００７５】
（第１の受付手段と第２の受付手段について）
上述した実施の形態１では、ボリュームスイッチ３４ａが第１の受付手段であり、告知再生スイッチ３１又はラジオ再生スイッチ３２が第２の受付手段であると説明し、上述した実施の形態２では、告知再生スイッチ３１が第１の受付手段、ラジオ再生スイッチ３２が第２の受付手段であると説明した。すなわち、上述した実施の形態１では、告知放送用受信機３は、第１の受付手段と第２の受付手段とが別々に構成されていると説明したが、これに限られない。例えば、第１の受付手段は、第２の受付手段を兼ねてもよい。具体的には、実施の形態１の場合には、第１の受付手段であるボリュームスイッチ３４ａが第２の受付手段を兼ねてもよい。この場合に、例えば、緊急放送時にボリュームスイッチ３４ａが所定量以上回転された（例えば全体の回転量のうち１／３以上の回転量等）場合には、ボリュームスイッチ３４ａの操作入力が操作可能な状態に変更することを受け付けてもよい。また、実施の形態２の場合には、第１の受付手段である告知再生スイッチ３１が第２の受付手段を兼ねてもよい。この場合に、例えば、緊急放送時にボリュームスイッチ３４ａが所定回数押された（例えば２回押し等）場合には、第１の受付手段の操作入力が受付られたものとしてもよい。これにより、第１の受付手段の機能及び第２の受付手段の機能をボリュームスイッチ３４ａに集約することができ、ユーザが行う操作入力を簡易にすることができる。
また、実施の形態１はヘッドエンド側から送られた緊急放送を告知放送用受信機３が受信した場合の処理であったが、緊急放送を告知放送受信機３が受信して音情報格納部３９にて格納したあとに、ユーザが告知放送再生スイッチ３１を操作して緊急放送を再放送させる際に大音量で緊急放送される場合においては、上述の制御と同様にラジオ再生スイッチ３２などの操作により音量を制御できるようにしてもよい。
【００７６】
（各実施の形態の相互の組み合わせについて）
各実施の形態１、２の緊急放送処理のステップを、相互に組み合わせてもよい。まず、上述した実施の形態１では、ＳＢ１１の処理にて音量制御済フラグが「１」であると判定された場合（ＳＢ１１、Ｙｅｓ）、制御部３８はスピーカ３６の音量が調整された旨を、表示部３７によって表示させる（ＳＢ１２）と説明したが、これに限られない。例えば、音出力制御部３８ａは、記憶部４０に記録された処理情報（特に、ボリュームスイッチ３４ａの音量設定に関する情報等）を参照して、ボリュームスイッチ３４ａの操作を自動制御することにより、ＳＢ８にて調整されたスピーカ３６の音出力の音量を、ＳＢ８にて調整される前の音出力の音量に復帰させてもよい。これにより、緊急放送終了後に、ボリュームスイッチ３４ａを手動で調整するといった煩わしさを解消することができる。
【００７７】
また、上述した実施の形態２では、ＳＣ１１の処理にて音量制御済フラグが「１」であると判定された場合（ＳＣ１１、Ｙｅｓ）、音出力制御部３８ａは、ＳＣ８にてミュートされたスピーカ３６の音出力の音量を、ＳＣ８にてミュートされる前の音出力の音量に復帰させる（ＳＣ１２）と説明したが、これに限られない。例えば、制御部３８は、スピーカ３６の音出力がミュートされた旨を、表示部３７によって表示させてもよい。これにより、ユーザに対してスピーカ３６の音出力がミュートされたことを報知でき、ユーザが緊急放送終了以降の一般放送を聞き漏らすことを防止できる。
（付記）
付記１の告知放送用受信機は、送信手段から送信された告知放送信号を伝送線路を介して受信し、当該受信した告知放送信号に基づく告知放送を放送する告知放送用受信機であって、前記告知放送が緊急放送である場合に、当該緊急放送を最大音量で放送する告知放送用受信機において、告知放送信号を受信する受信手段と、前記受信手段にて受信された告知放送信号に基づいて告知放送を音により出力する音出力手段と、前記音出力手段による音出力の音量に関する操作入力を受け付ける第１の受付手段と、前記告知放送信号に基づく告知放送が緊急放送である場合に、前記音出力手段から前記緊急放送が最大音量で音出力されているときに、前記第１の受付手段を操作不能な状態から操作可能な状態に変更することを受け付ける第２の受付手段と、前記音出力手段から前記緊急放送が最大音量で音出力されている場合であって、前記第２の受付手段にて前記第１の受付手段が操作可能な状態に変更された場合に、当該第１の受付手段にて操作入力が受け付けられた場合には、当該操作入力に基づいて当該音出力手段による音出力の音量を制御する音出力制御手段とを備える。
付記２の告知放送用受信機は、付記１に記載の告知放送用受信機において、前記音出力制御手段は、当該音出力制御手段にて前記音出力手段による音出力の音量が制御された場合であって、前記音出力手段から出力される前記緊急放送が終了した場合に、当該音出力制御手段にて制御された当該音出力手段による音出力の音量を、当該音出力制御手段にて制御される前の音出力の音量に復帰させる。
付記３の告知放送用受信機は、付記１に記載の告知放送用受信機において、前記音出力制御手段にて前記音出力手段による音出力の音量が制御された場合であって、前記音出力手段から出力される前記緊急放送が終了した場合に、当該音出力制御手段によって当該音出力手段による音出力の音量が調整された旨を表示する表示手段を備える。
付記４の告知放送用受信機は、付記１から３のいずれか一項に記載の告知放送用受信機において、前記第１の受付手段は、前記第２の受付手段を兼ねる。
付記５の告知放送用受信機は、付記１から４のいずれか一項に記載の告知放送用受信機において、前記音出力制御手段は、前記音出力手段の音量を調整する。
付記６の告知放送用受信機は、付記１から５のいずれか一項に記載の告知放送用受信機において、前記音出力制御手段は、前記音出力手段の音出力をミュートする。
（付記の効果）
付記１に記載の告知放送用受信機によれば、音出力制御手段は、音出力手段から緊急放送が最大音量で音出力されている場合であって、第２の受付手段にて第１の受付手段が操作可能な状態に変更された場合に、当該第１の受付手段にて操作入力が受け付けられた場合には、当該操作入力に基づいて当該音出力手段による音出力の音量を制御するので、緊急放送時にユーザが第１の受付手段を操作することにより音出力手段の音出力の音量を制御することができ、緊急放送の視聴に関するユーザの利便性を改善することができる。
付記２に記載の告知放送用受信機によれば、音出力制御手段は、当該音出力制御手段にて音出力手段による音出力の音量が制御された場合であって、音出力手段から出力される緊急放送が終了した場合に、当該音出力制御手段にて制御された当該音出力手段による音出力の音量を、当該音出力制御手段にて制御される前の音出力の音量に復帰させるので、所定の操作を要さずとも音出力制御手段にて制御された音出力手段の音出力の音量からの復帰ができ、ユーザが緊急放送終了以降の一般放送を聞き漏らすことを防止できる。
付記３に記載の告知放送用受信機によれば、表示手段は、音出力制御手段にて音出力手段による音出力の音量が制御された場合であって、音出力手段から出力される緊急放送が終了した場合に、当該音出力制御手段によって当該音出力手段による音出力の音量が変更された旨を表示するので、ユーザに対して音出力手段の音出力の音量が調整されたことを報知でき、ユーザが緊急放送終了以降の一般放送を聞き漏らすことを防止できる。
付記４に記載の告知放送用受信機によれば、第１の受付手段は、第２の受付手段を兼ねるので、第１の受付手段及び第２の受付手段を１つに集約することができ、ユーザが行う操作入力を簡易にすることができる。
付記５に記載の告知放送用受信機によれば、音出力制御手段は、音出力手段の音量を調整するので、緊急放送の視聴に関するユーザの利便性を一層改善することができる。
付記６に記載の告知放送用受信機によれば、音出力制御手段は、音出力手段の音出力をミュートするので、第１の受付手段の設定値を変更せずに、音出力手段の音出力を消音することができ、緊急放送の視聴に関するユーザの利便性を一層改善することができる。
【符号の説明】
【００７８】
１  告知放送システム
２  センター装置
３  告知放送用受信機
９  伝送系統
３０  受信部
３１  告知再生スイッチ
３２  ラジオ再生スイッチ
３３  音切換え部
３４  音量調整部
３４ａ  ボリュームスイッチ
３５、９２  アンプ
３６  スピーカ
３７  表示部
３７ａ  電源表示灯
３７ｂ  緊急放送表示灯
３７ｃ  一般放送表示灯
３７ｄ  状態表示部
３７ｅ  告知再生表示灯
３７ｆ  ラジオ再生表示灯
３８  制御部
３８ａ  音出力制御部
３９  音情報格納部
４０  記憶部
４１  筐体
４１ａ  正面カバー
４１ｂ  背面カバー
４２  音響孔
５１  アンテナ
９０  ヘッドエンド
９１  伝送線路
９３  分配増幅器
９４  分配器
９５  保安器
【図１】
0005694013.tif 000002
【図２】
0005694013.tif 000003
【図３】
0005694013.tif 000004
【図４】
0005694013.tif 000005
【図５】
0005694013.tif 000006
【図６】
0005694013.tif 000007